(57)【要約】【課題】消臭効果や抗菌効果を、長い持続性のもとで保有することのできる繊維構造物を提供すること。【解決手段】繊維表面に、平均粒径が０．５μｍ〜５０μｍである緑茶茶殻の粉砕粉末を、バインダーによって、該緑茶茶殻粉砕粉末と該バインダーを合計した付着量として対繊維重量比で０．５〜２０重量％付着せしめてなることを特徴とする繊維構造物。【選択図】図１
2008163480.tif 000002
【特許請求の範囲】
【請求項１】
繊維表面に、平均粒径が０．５μｍ〜５０μｍである緑茶茶殻の粉砕粉末を、バインダーによって、該緑茶茶殻粉砕粉末と該バインダーを合計した付着量として対繊維重量比で０．５〜２０重量％付着せしめてなることを特徴とする繊維構造物。
【請求項２】
前記緑茶茶殻粉砕粉末の付着量が、対繊維重量比で０．２〜１０重量％付着せしめてなることを特徴とする請求項１記載の繊維構造物。
【請求項３】
前記緑茶の茶殻粉砕粉末が、平均粒径で０．５μｍ〜２０μｍのものであることを特徴とする請求項１または２記載の繊維構造物。
【請求項４】
前記緑茶の茶殻粉砕粉末が、平均粒径で０．５μｍ〜１０μｍのものであることを特徴とする請求項３記載の繊維構造物。
【請求項５】
前記バインダーと前記緑茶茶殻粉砕粉末の付着重量比が、バインダー重量：緑茶茶殻粉砕粉末重量＝１〜５：９９〜９５であることを特徴とする請求項１〜４のいずれかに記載の繊維構造物。
【請求項６】
前記バインダーが、イソシアネート系化合物からなるものであることを特徴とする請求項１〜５のいずれかに記載の繊維構造物。
【請求項７】
繊維が、非円形断面形状を有するポリエステル系合成繊維の短繊維であることを特徴とする請求項１〜６のいずれかに記載の繊維構造物。
【請求項８】
繊維が、中空断面形状を有するポリエステル系合成繊維の短繊維であることを特徴とする請求項１〜７のいずれかに記載の繊維構造物。
【請求項９】
繊維構造物が、寝装材用の繊維構造物であることを特徴とする請求項１〜８のいずれかに記載の繊維構造物。
【請求項１０】
繊維構造物が、内装材用の繊維構造物であることを特徴とする請求項１〜８のいずれかに記載の繊維構造物。
【発明の詳細な説明】
【技術分野】
【０００１】
本発明は、繊維構造物に関し、さらに詳しくは消臭効果や抗菌効果を有する繊維構造物に関するものである。
【背景技術】
【０００２】
従来から繊維構造物に対して、消臭効果や抗菌効果を付与することが検討されてきており、特に、お茶が有する消臭作用や抗菌作用を利用することも検討されている。
【０００３】
例えば、繊維構造物を、茶ポリフェノールを含む水性溶液中に浸漬させて茶ポリフェノール成分を該繊維構造物の繊維表面に付着させるという提案がある（特許文献１）。
【０００４】
また、セルロース系繊維製品類を、配位結合能を有する金属塩を含む処理液と接触させる前処理を行い、その後、茶葉抽出物のカテキン類を含む処理液と接触させて、茶葉抽出物を繊維上に固定化させるという提案がある（特許文献２）。
【０００５】
また、銅アンモニア水溶液に、茶葉とセルロース原料を同時もしくは順次添加し溶解させることにより茶葉含有セルロース原液を作製し、該茶葉含有セルロース原液を凝固、再生させることにより茶葉セルロース複合再生繊維を製造するという提案がある（特許文献３）。
【０００６】
また、繊維構造物に付与され、高い消臭性能と持続性を有する消臭剤として、緑茶乾留抽出物等の緑茶抽出物を含有した消臭剤が提案がある（特許文献４）。
【０００７】
また、強力なマイナスイオンを発生できる繊維中綿や寝具用繊維製品として、竹の乾燥粉末、桐の乾燥粉末、緑茶葉の乾燥粉末、トルマリン鉱石粉および特定サイズの孔径を持つ無機の多孔物質粉末の少なくとも１種以上を、０．１重量％以上５０重量％未満含有するという繊維中綿や寝具用繊維製品に関する提案がある（特許文献５、特許文献６等）。
【０００８】
しかし、これらの提案によるものは、それぞれの提案で説明されている効果がうまく得られなかったり、効果の持続性に劣るのが実状であった。
【０００９】
特に、お茶の抽出物を、繊維中に含有させたり、繊維表面に付着させて利用するというものでは、得られる効果が不明瞭であったり、さらに量的にある程度大量の繊維構造物の生産や処理に対応するのが難しく実際的ではなかった。
【００１０】
また、茶葉の粉末を付与することによりマイナスイオンを発生させるという特許文献５または特許文献６の提案では、消臭や抗菌の効果においても十分に有しているとは認め難いものであった。
【００１１】
【特許文献１】特開２０００−９６４３３号公報
【特許文献２】特開２００１−３２９４６３号公報
【特許文献３】特開２００５−３０７３８４号公報
【特許文献４】特開２００６−１０２４７７号公報
【特許文献５】特開２００６−１０２４７７号公報
【特許文献６】特開２００６−１０２４７７号公報
【発明の開示】
【発明が解決しようとする課題】
【００１２】
本発明は、上述したような点に鑑み、茶葉が有する消臭効果や抗菌効果を、高い性能と長い持続性のもとで保有することができる繊維構造物を提供することを目的とする。
【課題を解決するための手段】
【００１３】
上述した目的を達成する本発明の繊維構造物は、以下の（１）の構成からなるものである。
【００１４】
（１）繊維表面に、平均粒径が０．５μｍ〜５０μｍである緑茶茶殻の粉砕粉末を、バインダーによって、該緑茶茶殻粉砕粉末と該バインダーを合計した付着量として対繊維重量比で０．５〜２０重量％付着せしめてなることを特徴とする繊維構造物。
【００１５】
さらに、かかる（１）の本発明の繊維構造物において、より具体的に好ましくは、以下の（２）〜（１０）のうちのいずれかの構成を有するものである。
【００１６】
（２）前記緑茶茶殻粉砕粉末の付着量が、対繊維重量比で０．２〜１０重量％付着せしめてなることを特徴とする上記（１）記載の繊維構造物。
【００１７】
（３）前記緑茶の茶殻粉砕粉末が、平均粒径で０．５μｍ〜２０μｍのものであることを特徴とする上記（１）または（２）記載の繊維構造物。
【００１８】
（４）前記緑茶の茶殻粉砕粉末が、平均粒径で０．５μｍ〜１０μｍのものであることを特徴とする上記（３）記載の繊維構造物。
【００１９】
（５）前記バインダーと前記緑茶茶殻粉砕粉末の付着重量比が、バインダー重量：緑茶茶殻粉砕粉末重量＝１〜５：９９〜９５であることを特徴とする上記（１）〜（４）のいずれかに記載の繊維構造物。
【００２０】
（６）前記バインダーが、イソシアネート系化合物からなるものであることを特徴とする上記（１）〜（５）のいずれかに記載の繊維構造物。
【００２１】
（７）繊維が、非円形断面形状を有するポリエステル系合成繊維の短繊維であることを特徴とする上記（１）〜（６）のいずれかに記載の繊維構造物。
【００２２】
（８）繊維が、中空断面形状を有するポリエステル系合成繊維の短繊維であることを特徴とする上記（１）〜（７）のいずれかに記載の繊維構造物。
【００２３】
（９）繊維構造物が、寝装材用の繊維構造物であることを特徴とする上記（１）〜（８）のいずれかに記載の繊維構造物。
【００２４】
（１０）繊維構造物が、内装材用の繊維構造物であることを特徴とする上記（１）〜（８）のいずれかに記載の繊維構造物。
【発明の効果】
【００２５】
請求項１にかかる本発明の繊維構造物によれば、茶葉殻が有する消臭効果や抗菌効果を、高い性能と長い持続性のもとで保有することができる繊維構造物が提供される。
【００２６】
また、請求項２から８のいずれかの本発明の繊維構造物によれば、該請求項１の本発明の繊維構造物の効果を、より効果的にかつ持続性良く得ることができる。
【００２７】
中でも、特に請求項７の本発明の繊維構造物によれば、茶葉殻が有する消臭効果や抗菌効果を高い性能と長い持続性のもとで発揮できて、ふとん綿などの寝装用途や、シーツ、ふとん側地、ふとんカバー、枕カバーなどの寝装生地用の紡績糸等として好適な繊維構造物が提供されるものである。また、請求項８記載の本発明の繊維構造物によれば、さらに、全体的により軽量で、例えばふとん綿などとして快適な使用心地をもたらす繊維構造物を提供できる。
【００２８】
また、請求項９または１０の本発明によれば、本発明の繊維構造物の持つ上述した効果を、ふとん綿、布団側地、布団カバー、枕カバー、シーツ、ベッドカバー、毛布、タオルケットなどの寝装材用繊維構造物や、または、壁材、壁紙、カーテン、障子紙、椅子張り地、車輌シートカバー、車輌用内装材・航空機用内装材などの内装材用繊維構造物の分野で発揮できて、各種の新規なそれら寝装材用繊維構造物または内装材用繊維構造物を提供することができる。
【発明を実施するための最良の形態】
【００２９】
以下、更に詳しく本発明の繊維構造物について、説明する。
【００３０】
本発明の繊維構造物は、繊維表面に、平均粒径が０．５μｍ〜５０μｍである緑茶茶殻の粉砕粉末を、バインダーによって、該緑茶茶殻粉砕粉末と該バインダーを合計した付着量として対繊維重量比で０．５〜２０重量％付着せしめてなることを特徴とするものである。
【００３１】
上記の重量比は緑茶茶殻粉砕粉末と該バインダーを合計した付着量であるが、緑茶茶殻粉砕粉末だけの付着量では、好ましくは、対繊維重量比で０．２〜１０重量％付着せしめるのがよい。
【００３２】
また、該緑茶茶殻の粉砕粉末は、平均粒径で０．５μｍ〜１０μｍのものを用いるのが好ましく、より好ましくは、平均粒径で０．５μｍ〜５μｍのものを使用することである。このようにきめ細かなパウダー状のものを使用することにより、適用される当該繊維製品が本来持っている風合いや色味外観、質感などを損なうことがなく、むしろ、緑茶茶殻の持つ自然な淡い色味などを付加的に加えることができて好ましいものである。
【００３３】
また、バインダーは、好ましくは、透明性が良好で、また少量の付与でも接着力が大きく硬さが極度に高くならないものを使用するのがよく、具体的には、耐水性が良好なイソシアネート系化合物からなるものなどを使用するのが好ましい。
【００３４】
該バインダーと緑茶茶殻の粉砕粉末の付着重量比は、バインダー重量：緑茶茶殻粉砕粉末重量＝１〜５：９９〜９５の範囲内とするのが好ましい。バインダーの付着重量比がこの範囲よりも大きいと緑茶茶殻の粉砕粉末の表面を該バインダーで覆ってしまう方向であり、効果が乏しくなる方向であるので好ましくなく、また、該範囲よりも小さいと緑茶茶殻の粉砕粉末の耐脱落耐久性が劣るので好ましくない。
【００３５】
該イソシアネート系化合物からなるバインダーは、たとえば、脂肪族ブロックドイソシアネート（例えば、商品名「ＮＫアシストＦＵ」（日華化学株式会社））を用いた接着剤・架橋剤などを用いることができる。
【００３６】
本発明において、緑茶の茶殻粉末とは、通常のとおりにお茶を出した後の茶葉殻を集めて、乾燥させた後、ボールミル装置あるいは振動ミル装置などを使用して微細な粉末状に粉砕して得られたものをいう。すなわち、本発明では、お茶を出し終えた後の茶葉殻を乾燥させて、従来から食品用途などに使用されているボールミル装置あるいは振動ミル装置などに投入しパウダー状に加工するものである。緑茶の茶葉殻を使用するのは、緑茶が高い消臭効果、抗菌効果を有するものであること、また、お茶を出し終えた茶殻を乾燥させたものは、消臭効果、抗菌効果がやや低下しているものの、実用面では問題なくそれら効果を保有していて、かつ粉砕加工もしやすく、また品質面では茶葉（お茶を入れる前のもの）よりも安定していると言える点や、淡くかつ感じの良い自然な色味を有する点などで好ましいからである。
【００３７】
ここで、微細化する程度は、平均で粒径が０．５μｍ〜５０μｍとするものであり、このようなレベルの微細なものを繊維構造物に付与するものであるから、本来の該繊維構造物の特質を損なうことなく高度な付加価値を与えることができるのである。
【００３８】
微細な茶殻粉砕粉末を、その粒径に関して大きなバラツキなく、制御して得るには、適宜のボールミル装置あるいは振動ミル装置などを用いて粉末状にした茶殻粉末を、例えば、５〜１０％苛性ソーダ水溶液などに分散させた分散液にして、孔径が、例えば、約７μｍ、約５μｍ、約３μｍあるいは約１μｍなどの濾過布を用いて濾過して集め、得られる茶殻粉末の径を調整することができ、そのような適宜孔径のフィルター材の使用とボールミル装置あるいは振動ミル装置等の粉砕装置の運転時間、使用するボール径などの運転条件を組合せて用いることによって所望の粒径の茶殻粉末を得ることができる。振動ミル装置とは、ボール（粉砕媒体）を充填した粉砕筒を高速円振動させて、特に、より短い時間で微粉砕を行うようにした装置をいう。
【００３９】
なお、ただし、本発明者等の知見によれば、一般に食品粉末の製造で使用されるアルミナ製ボールよりも、鉄（鋼）製ボールを使用して粉末状態にするのがよい。鉄（鋼）製ボールを使用して粉砕することにより、茶殻粉末の色がアルミナボールを使用した場合の色よりも明るさが低くなり、その色合いが、本発明にかかる繊維構造物に、天然調の落ち着いた感じの外観色調・色味を与えることができるので一般に好ましい。そのような鉄（鋼）製ボールとしては、ＳＵＳボール（ステンレスボール）、カーボン鋼球（炭素鋼球）などがある。
【００４０】
本発明において、茶殻の粉砕粉末の粒径とは、該粉末が真球状ではないので、該粉末の最大長径部の長さを言うものであり、上述した濾過布の孔径と対応している値である。
【００４１】
本発明においては、用いられる緑茶葉は、上述のとおりに、いわゆるお茶を出し終えた茶殻を用いることが肝要であり、お茶葉に含まれていて、抗菌・防臭効果の発現に寄与する成分のうち、フラバノール（カテキン）類、その中でも、特に、エピガロカテキンガレート、エピカテキンガレート、エピガロカテキン、エピカテキンなどは、茶殻になった以降もその含有率は減少していても、依然として含有されているものであり、抗菌防臭効果を発揮し得るものである。むしろ、茶殻を使用することは、原料としての期待性能の安定化や低コスト化、安定供給の上で好都合なものである。
【００４２】
本発明においては、上述のフラバノール（カテキン）類が良好な抗菌効果をもたらし、その結果、菌の発生が抑制されることに基づいて、消臭・防臭（脱臭）効果が繊維構造物にもたらされるものである。
【００４３】
本発明において、繊維構造物は、長繊維（いわゆる連続糸あるいはフィラメント糸とも呼ばれるもの）であってもよく、あるいは短繊維（ステープル）であってもよく、それら繊維は、それぞれ、綿状、糸、紡績糸、撚糸、縫糸、織物、編物、不織布、フェルト状、網状物（ネット状物）などの２次的繊維構造物にさらに高次加工されたものであってもよい。
【００４４】
むしろ、本発明の繊維構造物が、緑茶の茶殻粉末が分散されたバインダー溶液の噴霧を受けること、あるいは、該バインダー溶液中に該繊維構造物を浸漬することなどにより製造することが通常の場合の製造方法であることから、適宜の２次的繊維構造物（例えば、紡績糸、撚糸、捲縮加工糸、縫糸、織物、編物、不織布、フェルト状物、網状物（ネット状物）など）の段階で本発明の茶殻粉末の付与処理をすることが、付与量などを所望の各種の製品特性に応じて適宜条件にコントロールできることから好ましい。
【００４５】
繊維は、綿（コットン）、ウール、麻などの各種の天然繊維や、あるいは、ポリエステル、ナイロン、アクリル、レーヨン、テンセル、ポリ乳酸繊維、ポリトリメチレンテレフタレート繊維などの各種の化合繊繊維などを、各種繊維の固有繊維特性と用途等に応じて使用することができる。
【００４６】
例えば、ふとん綿用途、紡績糸用途などであれば、ポリエステル系合成繊維の、繊維長５０〜１００ｍｍ×単繊維繊度１〜１０ｄｔｅｘの短繊維であって、繊維横断面形状が、円形断面のもの、あるいは、非円形断面のものなど、具体的には、図１（ａ）、（ｂ）に繊維断面の概略モデル図を示したような、いわゆる偏平十字状の断面形状を持つポリエステル系の短繊維、その２次加工（紡績）品などを好ましく使用することできる。特に、非円形断面の繊維を用いれば、緑茶茶殻粉砕粉末が付与された後、該粉末が脱落しにくいものであり、好ましいものである。非円形断面の好ましい形状は、いわゆるＹ型、Ｔ型、Ｈ型、まゆ型、π型、Ｕ型、Ｖ型などの各種のものを使用することができる。
【００４７】
また、非円形断面であれ、円形断面であれ、繊維横断面上に中空部を有するものを使用すれば、該繊維構造物の全体の軽量さ、色味などの点で好ましい。
【００４８】
本発明の繊維構造物は、上述した形態・状態の各種の繊維構造物に対して、上述した平均粒径を有する緑茶の茶殻粉末とバインダー成分が分散されて含有されている処理溶液を、スプレー、噴霧、あるいはディップ浸漬等をすることにより付着量を制御しつつ付与し、乾燥・固定化すること等により製造することができる。
【００４９】
茶殻粉末の付着は、繊維表面上あるいは繊維構造物上において、必ずしも均一なものとして付与される場合だけに限られず、例えば、織物、編物、不織布などのプレーンなものにおいては意匠効果のある模様状を呈して付与することもできる。そのような場合、小面積単位では、茶殻粉末は、多少、斑（まだら）な付着量を呈することになるが、本発明者等の知見によれば、そのような斑状態でも、一般的には１平方メートル当たりの実際面積をとって付着量を本発明の対繊維重量比で０．５〜２０重量％、好ましくは、０．５〜１５重量％を満足するような付着量にすると、本発明の所期の効果を良好に得ることができる。
【００５０】
このような斑状の模様を呈させて付与することは、障子紙分野や、各種照明器具用のフード材料などのような透過光が視覚に訴える用途分野で良好に使用できる。
【００５１】
もっとも、そのような、透過光が視覚に訴える用途分野では、本発明の繊維構造体は、特に模様状を呈するように茶殻粉末が付与されていないものであっても、その自然な色味から、見る者に良好な癒し効果のようなものを与え得るものである。
【００５２】
本発明の繊維構造物は、外衣、インナーウエアなどの一般の衣料用途、乳幼児用の衣料用途、お年寄りの衣料用途、病院や医療関係の衣料用途、各種アレルギー体質の方等の一般衣料用途において、綿形態、糸形態、生地形態、詰め綿形態などで使用されたり、あるいは、布団綿、布団側地、布団カバー、枕カバー、寝間着などの寝装材用途に使用されたり、あるいは、カーテン、障子紙、カーペット地、壁紙、壁張り地などの内装材、また、自動車、列車、飛行機および船舶などの座席シート、シートカバーなどの内装材など、あるいは、照明器具のフード材、車輌座席や機内座席の頭部カバー材、食事お膳の覆いシート材などの用途等に好適に使用することができる。
【００５３】
本発明の繊維構造物は、良好な抗菌効果と消臭・防臭（脱臭）効果を有することから、上記した、乳幼児やお年寄りの衣料用途、病院や医療関係の衣料用途、寝装用途、内装用途、衛生用途、食事関連用途などで、特に優れた効果と特徴を発揮するものである。
【００５４】
本発明において、繊維構造物とは、上記した綿、各種の糸や、織物、編物などの繊維の２次加工品のほか、さらに衣料、布団側地などの高次加工品（最終商品）をも含んでそれらを総称するものである。
【実施例】
【００５５】
以下、実施例に基づいて、本発明の繊維構造物の具体的構成、効果について説明する。
【００５６】
なお、本発明において、緑茶茶殻粉砕粉末の粒径は、該粉末の最大径と実質的に対応する値である。該緑茶茶殻粉砕粉末の平均粒径の測定は、市販の粒度分布計を用いて、各粒径ごとに区切ってその粒径ごとの存在頻度の比率を求めて平均値を算出し平均粒径としたものである。ここで、「粒径ごとに区切って」とは、例えば、０．１μｍ、０．２μｍ、０．４μｍ、０．６μｍ、０．８μｍ、１．０μｍ、１．５μｍ、２．０μｍ、３．０μｍ、４．０μｍ、６．０μｍ、８．０μｍ、１２．０μｍ、１６．０μｍ、２４．０μｍ、３２．０μｍ、４８．０μｍ、６４．０μｍ、９６．０μｍ、１２８．０μｍ、１９２．０μｍの区切りであるが、必ずしも、これに限定されるものではなく、適宜に中心値の存在するあたりを細かくするなどの手法を取ればよい。すなわち、粉末の１個１個を取り出して径を測るのではなく、粒度分布計を用いて適当量の粉末を投入して測定をするものである。
【００５７】
実施例１
円形断面で中空部を持つ繊維横断面形状を有するポリエステル短繊維（３．３ｄｔｅｘ×１００ｍｍ）を１００ｇ準備した。
【００５８】
一方、処理液として、 脂肪族ブロックドイソシアネート（商品名「ＮＫアシストＦＵ」（日華化学株式会社））５ｃｃ（５ｇ）と、平均粒径５．３μｍの緑茶茶殻粉砕粉末２０ｇと、水７５ｃｃを混合して処理液１００ｇを作成した。
【００５９】
上記ポリエステル短繊維の綿１００ｇに対して、上記処理液１００ｇをスプレー撒布方式により付与し、その後、乾燥させて、茶殻粉末とバインダーの合計付着量（対繊維重量比）が１０重量％である茶殻粉末付与加工綿を得た。この茶殻粉末付与加工綿の茶殻粉末の付着量（対繊維重量比）は８重量％であった。
【００６０】
この茶殻粉末付与加工綿を用いて、紡績糸の製造工程に供して、メートル式番手１／１７の紡績糸を製造した。
【００６１】
この紡績糸を用いて織物生地を作り、該織物生地が持つ抗菌防臭性について評価した。
【００６２】
ここでの抗菌防臭性とは、繊維製品に付与された抗菌性能に基づいて、菌の増殖を抑制して、汗や汚れから発生してくる悪臭を防止する性能をいい、試験方法は、ＪＩＳ−Ｌ１９０２菌液吸収法により、供試菌は黄色ブドウ球菌・Ｓｔａｐｈｙｌｏｃｏｃｃｕｓ  ａｕｒｅｕｓ  ＡＴＣＣ  ６５３８Ｐを用いて行った。試料（生地）には、界面活性剤（Ｔｗｅｅｎ８０）を添加した試験菌懸濁液を用いて菌を付与した。
【００６３】
洗濯は、ＪＩＳ−Ｌ０２１７、１０３号（但し、ＪＡＦＥＴ標準洗剤を使用）に従った。
【００６４】
この結果、本発明の供試織地の抗菌防臭性能は、洗濯１０回後における、生菌数は６００未満、静菌活性値は４．２以上、殺菌活性値は１．５以上であった。これは、生菌数で合格レベルであり、また、一般に静菌活性値は２．２以上で合格レベルとされているので同値でも合格レベル、また、殺菌活性値は１以上で合格レベルとされているので同値でも合格レベルであり、本発明の繊維構造物は、非常に優秀な抗菌防臭性能を有するものであることが確認できた。
【００６５】
実施例２
図１（ｂ）に断面モデル形状を示したのと同様の断面形状を有するポリエステル短繊維（３．５ｄｔｅｘ×１００ｍｍ）を１ｋｇ準備し、実施例１と同様の処理液（１ｋｇ）をスプレー撒布付与して茶殻粉末付与を行い、茶殻粉末付与加工綿を得た。この加工綿を用いてふとん綿を作成した。
【００６６】
このふとん綿について、求評したところ、良好な消臭性能・抗菌性能を持続性良く有する快適なふとんであるとの評価だった。
【図面の簡単な説明】
【００６７】
【図１】図１は、（ａ）、（ｂ）のいずれも本発明の繊維構造物に好ましく使用できる繊維の１態様例を説明するものであり、繊維横断面の概略モデル図である。
【符号の説明】
【００６８】
１  本発明の繊維構造物にかかる繊維
【図１】
2008163480.tif 000003